(57)【要約】【課題】  長期間の使用においてもマンホール蓋用ボルトの回転操作に支障がない程度に土砂などの侵入を最低限に抑えることができるマンホール蓋におけるボルト凹窩部の密閉技術を提供する。【解決手段】  本発明のマンホール蓋用ボルトは、肉厚円板状のフランジ部およびその一端面に略同等の肉厚を有し所定の工具を取付可能な突起を備える頭部を備えており、前記フランジ部上端縁部分には前記ボルト凹窩部に嵌めこまれるキャップの筒状部下端縁部分が嵌合するように構成される。このマンホール蓋用ボルトをマンホール蓋外周の凹窩部に挿入収容し、該凹窩部にキャップを嵌めこむことで、前記筒状部の下端部分が前記フランジ部の上端部分と嵌合し、土砂などの侵入を抑制可能なマンホール蓋ボルト凹窩部の密閉構造が得られる。【選択図】  図２
2013011131.tif 000002
【特許請求の範囲】
【請求項１】
マンホール蓋外周に設けられたボルト凹窩部に挿入収容されるボルトであって、肉厚円板状のフランジ部およびその一端面に略同等の肉厚を有し所定の工具を取付可能な突起を備える頭部を備えており、前記フランジ部上端縁部分には前記ボルト凹窩部に嵌めこまれるキャップの筒状部下端縁部分が嵌合するように構成されてなることを特徴とするマンホール蓋用ボルト。
【請求項２】
マンホール蓋外周に設けられたボルト凹窩部の密閉構造であって、
当該ボルト凹窩部に挿入収容されるボルトとこれを覆い隠すように前記凹窩部に嵌めこまれるキャップとを備えており、
前記ボルトは肉厚円板状のフランジ部の一端面に略同等の肉厚を有し所定の工具を取付可能な突起を備える頭部およびねじ軸を有し、
前記キャップは前記フランジ部の外形と略同等の内径を備える円筒状部を備えており、
当該キャップを前記凹窩部に嵌めこむことで、前記筒状部の下端部分が前記フランジ部の上端部分と嵌合するようにしたことを特徴とするマンホール蓋ボルト凹窩部の密閉構造。
【発明の詳細な説明】
【技術分野】
【０００１】
本発明は、道路面などに設置されるマンホールの開口を閉じる蓋を締付け固定し、当該蓋を開けるのに用いられるマンホール蓋用ボルト、及び当該ボルトを用いたマンホール蓋凹窩部の密閉構造に関する。
【背景技術】
【０００２】
地中送電線路などのマンホールは、一般に人や車などの往来のある道路地下に設置されるため、その地上への開口を塞ぐ蓋を管理者以外の者がバールなどの工具を用いて勝手に開けられないようにすることが必要である。図３は、一般的なマンホールの例を示す平面図である。この図において、符号２０がマンホールの受け枠、２１がマンホール蓋であり、平面視略円形の蓋２１は受け枠２０の中央におけるマンホール蓋と略同等の大きさを有する開口にちょうど嵌め込まれるようになっている。マンホール蓋２１には、図３に示すように、その外周に沿って互いに径方向に向き合うボルト凹窩部２２，２２；２４、２４が穿設されている。ここで、ボルト凹窩部２２は、マンホール蓋２１を受け枠２０に固定する締付けボルトを挿入収容するため、ボルト凹窩部２４、２４はマンホール蓋２１を開放する際にこれを受け枠２０から持ち上げるための押上げボルトを挿入収容するためのものとする。
【０００３】
締付けボルトおよび押上げボルトとして一般に用いられるマンホール蓋用ボルトの例を図４に示す。この図に示すように、マンホール蓋用ボルト３０には、略三角柱状の頭部３１を備え、この頭部３１の一端面からはその中心に軸線を合致させるようにねじ軸３２が設けられたものが使用されてきている。このボルト３０は、これを締付ける場合も緩める場合もボルト頭部３１に合致する特殊な形状のボックスレンチが必要であり、この点で防犯が図られている。なお、本明細書においては、用語「マンホール蓋用ボルト」は、前記の締付けボルトおよび押上げボルトの双方を含む意味で使用する。
【０００４】
図４は、一般的なマンホール蓋のボルト凹窩部の一例を部分側面断面図で示したものであり、（ａ）が押上ボルト挿入収容用、（ｂ）が締付けボルト挿入収容用である。図４（ａ）では、ボルト３０は押上げボルトとしてマンホール蓋２１の凹窩部２４の底部におけるねじ穴に螺合され、このボルト３０を締付ける方向に回転させることで、ねじ軸３２の下端が受け枠２０の水平な舌片２０ａに当接し、さらに受け枠２０からマンホール蓋２１を浮き上がらせることができる。また、図４（ｂ）では、ボルト３０は締付けボルトとしてマンホール蓋２１の凹窩部２４の底部におけるボルト挿通穴に挿通され、さらに受け枠２０の水平な舌片２０ｂのねじ穴２０ｃに螺合される。締付けボルト３０を締付ける方向に回転させることで、受け枠２０にマンホール蓋２１が固定される。このとき、締付けボルト３０には座金３４が用いられているので、凹窩部２２の底面により大きい接触面積で締付けることができるので、より強固な固定が可能となる。
【０００５】
これらのボルト凹窩部２２、２４のそれぞれには、ボルト３０を挿入収容した状態でその上から当該ボルト３０を覆い隠すように、キャップ２３、２５が嵌めこまれる。キャップ２３、２５は、通常、ゴム製とされ、図５に示すように、円筒状の筒状部２３ａ（２５ａ）とその一端を塞ぎ放射状に張り出す鍔状部２３ｂ（２５ｂ）とを有する。
【先行技術文献】
【特許文献】
【０００６】
【特許文献１】実開昭６１−８４７４５号公報
【特許文献２】特許第３７９８１５２号明細書
【特許文献４】特許第３７９２６８０号明細書
【特許文献５】特許第３９３８３３０号明細書
【発明の概要】
【発明が解決しようとする課題】
【０００７】
しかしながら、前記のゴム製などのキャップでは、マンホール蓋外周の凹窩部を密封するには十分ではなく、さらに時間経過のうちには雨水とともに土砂等が前記凹窩部に流入し、図７、符号４０に示すように、その内部が該土砂などで埋まってしまうことが多い。そのため、マンホール開蓋の際には、毎回、凹窩部内の土砂などを掃除・除去することが必要となる。ところが、該凹窩部の隙間に入り込んだ土砂などはそこで締まった状態で硬化しており、清掃がしにくく、この作業には非常に手間がかかるという問題があった。また、この掃除作業は、夜間や雨天時にも実施しなければならない場合があり，その場合には丹念に砂を除去することすらも困難となる。
【０００８】
そこで、本発明は、長期間の使用においてもマンホール蓋用ボルトの回転操作に支障がない程度に土砂などの侵入を最低限に抑えることができるマンホール蓋におけるボルト凹窩部の密閉技術を提供することを目的とする。
【課題を解決するための手段】
【０００９】
前記目的は、本発明の一局面によれば、マンホール蓋外周に設けられたボルト凹窩部に挿入収容されるボルトであって、肉厚円板状のフランジ部およびその一端面に略同等の肉厚を有し所定の工具を取付可能な突起を備える頭部を備えており、前記フランジ部上端には前記ボルト凹窩部に嵌めこまれるキャップの筒状部下端が嵌合するように構成されてなることを特徴とするマンホール蓋用ボルトによって達成される。
【００１０】
前記目的はまた、本発明の別の局面によれば、マンホール蓋外周に設けられたボルト凹窩部の密閉構造であって、当該ボルト凹窩部に挿入収容されるボルトとこれを覆い隠すように前記凹窩部に嵌めこまれるキャップとを備えており、前記ボルトは肉厚円板状のフランジ部の一端面に略同等の肉厚を有し所定の工具を取付可能な突起を備える頭部およびねじ軸を有し、前記キャップは前記フランジ部の外形と略同等の内径を備える円筒状部を備えており、当該キャップを前記凹窩部に嵌めこむことで、前記筒状部の下端部分が前記フランジ部の上端部分と嵌合するようにしたことを特徴とするマンホール蓋ボルト凹窩部の密閉構造によって達成される。
【発明の効果】
【００１１】
本発明は、マンホール蓋用ボルト頭部下側を円板状フランジ部に変更し、マンホール蓋凹窩部の底部の空間を小さくするとともに、当該フランジ部の上端縁部とキャップ筒状部の下端部とを嵌合可能にし、その内部に隠れたボルト頭部の突起が土砂などの影響を受けず、マンホール開蓋時には当該突起に所定の工具を容易に取り付けて前記ボルトを回転させることができるので、凹窩部の底部まで丹念に掃除する必要がなくなり、マンホール蓋を開ける際の労力および精神・肉体両面での負担軽減、ならびに作業の効率化が図られる。
【００１２】
また、マンホール蓋用ボルト頭部の形状を一部変更することで、本発明を実施でき、大がかりな設備変更などが不要である。また、マンホール蓋用ボルトの交換のみの対応で済み、現行設置されているマンホールに広範囲に適用できるので、汎用性も非常に高い。
【図面の簡単な説明】
【００１３】
【図１】本発明のマンホール蓋用ボルトの一実施形態を示す図である。
【図２】図１に示すマンホール蓋用ボルトを用いた当該マンホール蓋ボルト凹窩部の密閉構造を示す部分断面図である。
【図３】一般的なマンホールの受け枠および蓋の例を示す平面図である。
【図４】従来のマンホール蓋用ボルトの一例を示す図である。
【図５】従来のキャップの一例を示す斜視図である。
【図６】一般的なマンホール蓋用ボルトの使用状態を示す部分断面図である。
【図７】従来のマンホール蓋用ボルトの使用状態を示す部分断面図である。
【発明を実施するための形態】
【００１４】
次に、本発明のマンホール蓋用ボルトの実施形態について詳細に説明する。図１は、本発明のマンホール蓋用ボルトの一実施形態を示している。また、図２は、図１に示すマンホール蓋用ボルトを用いた本発明のマンホール蓋凹窩部の密閉構造の一例を示している。これらの図に示すように、本実施形態のマンホール蓋用ボルト１は、肉厚円板状のフランジ部１３およびその一端面中央に突設された突起１４からなる頭部１２と、ねじ軸１５とからなる。前記した突起１４は、本実施形態では、略三角柱状としているが、略四角柱、略五角柱などの多角柱とすることもできる。
【００１５】
肉厚のフランジ部１３の直径は、キャップ２３、２５の筒状部（図５、符号２３ａおよび２５ａ参照）の内径と略同等に設定される。また、フランジ１３の厚さは、マンホール蓋用ボルト１をマンホール蓋２１の凹窩部２２（又は２４）に挿入収容し当該凹窩部をキャップ２３（または２５）により塞いだ場合に、キャップ２３、２５の筒状部２３ａ、２５ａの下端縁部分がフランジ１３の上端縁部分に嵌合する程度に設定される。
【００１６】
略三角柱状の突起１４のボルト１の軸線方向に直交する断面のサイズは、例えば図４に示した従来公知のマンホール蓋用ボルトのそれと略同等とされる。また、突起１４の厚さは、既存のボックスレンチがこれに嵌めこまれ、ボルト１を回転させることができる程度とされる。この突起１４の厚さは、フランジ部１３のそれと略同等に設定するのが好ましい。この突起１４には、専用のボックスレンチなどの工具が嵌めこまれ、マンホール蓋用ボルトを回転させることが可能となる。
【００１７】
フランジ部１３の突起１４を備えた端面とは反対側の端面の中心からは、それに軸線を合わせるようにねじ軸１５が設けられている。このねじ軸１５は、その全長にわたりねじが刻設されたものでもよく、その一部にねじが刻設されたものでもよい（本発明のマンホール蓋用ボルトを締付けボルトとして使用するか、押上げボルトとして使用するかによって変えることも可能である。）このねじ軸１５についても、図４に示すような従来公知のマンホール蓋用ボルトのそれと本質的に変わりはない。
【００１８】
本発明のマンホール蓋用ボルト１は、その材質について特に制限されない。従来公知のボルトと同様、例えば鉄、ステンレス鋼などの素材で形成することができる。
【００１９】
キャップ２３、２５は、筒状部２３ａ、２５ａおよびその一端を塞ぎ、放射状に張り出す鍔状部２３ｂ、２５ｂからなる従来公知のものを使用すればよい。キャップ筒状部２３ａ、２５ａは、マンホール蓋や受け枠の大きさなどに応じてその外周壁がマンホール蓋２１における凹窩部２２、２４の内周壁に密着した状態で当該凹窩部２２、２４内にそれぞれ嵌め込まれるものが好ましい。
【００２０】
このようにマンホール蓋用ボルト１の頭部１２にフランジ１３を設けることで、従来の略三角柱状よりも凹窩部２２、２４の底面に接触する面積が大きくなり、その分、キャップ２３、２５の外周から侵入した土砂などが入り込む空間の容積が小さくできるだけでなく、キャップ２３、２５の筒状部２３ａ、２５ａ下端縁からその内部への土砂などの侵入も抑えることができる。その結果、キャップ２３、２５内に隠れている略三角柱状の突起１４が土砂などによって埋まることがなく、必要な時に適宜のボックスレンチ（不図示）を用いて当該ボルトを回転させ開蓋などを行うことができる。また、フランジ１３の外周に土砂などが硬化堆積した場合でも、該フランジ１３は円板状に形成されているので、回転操作にも支障が生じにくい利点がある。なお、マンホール蓋用ボルトのその他の部位については、従来のものと本質的に変わりはない。
【符号の説明】
【００２１】
１  マンホール蓋用ボルト
１０  マンホール蓋凹窩部の密閉構造
１２  頭部
１３  円板状フランジ
１４  略三角柱状の突起
２１  マンホール蓋
２２、２４  凹窩部
２３、２５  キャップ
【図１】
2013011131.tif 000003
【図２】
2013011131.tif 000004
【図３】
2013011131.tif 000005
【図４】
2013011131.tif 000006
【図５】
2013011131.tif 000007
【図６】
2013011131.tif 000008
【図７】
2013011131.tif 000009